(57)【要約】  通信装置（１０）においてインタフェースユニット（３０）とケーシング（２０）とを接続するための通信装置（１０）の変形構造体（１００）である。ここで変形構造体は、保持部品（１３０）と、２つの細長い部品（１８０）と、２つの装着部品（１９０）とを含むヒンジ機構（１００）であり、インタフェースユニット（３０）及びヒンジ機構（１００）は、ケーシング（２０）の凹部（１６０）に配置される。
2007534242.tif 000002
【特許請求の範囲】
【請求項１】
通信装置（１０）においてインタフェースユニット（３０）とケーシング（２０）とを接続するための変形構造体（４０）であって、
一端部（１７２、１８２）において前記インタフェースユニットに回転自在に装着され、別の端部（１７４、１８４）において前記ケーシング（２０）に回転自在に装着された２つの細長い部品（１７０、１８０）により前記インタフェースユニットと前記ケーシングとを回転自在に接続する保持部品（１３０）を含むヒンジ機構（１００）を備えることを特徴とする変形構造体（４０）。
【請求項２】
前記ヒンジ機構（１００）は、前記ケーシング（２０）の凹部（１６０）に配置され、前記細長い部品（１７０、１８０）の端部（１７４、１８４）において、前記凹部（１６０）の壁（１６７、１６８）に配置された穴に接続されることを特徴とする請求項１に記載の変形構造体（４０）。
【請求項３】
前記インタフェースユニット（３０）は、前記インタフェースユニット（３０）の２つの側面（１６３、１６４）に凹部（１６１、１６２）を具備し、前記細長い部品（１７０、１８０）は、前記凹部（１６１、１６２）の一端部（１２０）において前記インタフェースユニット（３０）に接続されることを特徴とする請求項２に記載の変形構造体（４０）。
【請求項４】
前記ケーシング（２０）に配置された前記凹部（１６０）は、前記細長い部品（１７０、１８０）を異なる位置に保持するために、前記細長い部品のアームにある対応する保持装置（１７７、１８７）と相互に作用する保持装置（１６９）を更に具備することを特徴とする請求項２又は３に記載の変形構造体（４０）。
【請求項５】
前記保持部品は、前記インタフェースユニット（３０）の貫通孔に配置された軸（１３０）であり、前記細長い部品は、前記軸の両端部にそれぞれ装着されたアーム（１７０、１８０）であることを特徴とする請求項２乃至４のいずれか１項に記載の変形構造体（４０）。
【請求項６】
２つのディスプレイ（７０、１５０）を具備する回転自在に配置されたインタフェースユニット（３０）を有する通信装置（１０）であって、請求項１乃至５のいずれか１項に記載の変形構造体（４０）を具備することを特徴とする通信装置（１０）。
【請求項７】
前記インタフェースユニット（３０）及び前記変形構造体（４０）は、前記通信装置（１０）の凹部（１６０）に配置されることを特徴とする請求項５に記載の通信装置（１０）。
【請求項８】
前記インタフェースユニット（３０）及び前記変形構造体（４０）は、前記インタフェースユニット（３０）が第１の終端位置と第２の終端位置との間を動作するように回転自在に配置され、各終端位置において、前記インタフェースユニット（３０）及び前記変形構造体（４０）は、前記凹部（１６０）の中に配置されることを特徴とする請求項５に記載の通信装置（１０）。
【請求項９】
前記インタフェースユニット（３０）及び前記変形構造体（４０）は、少なくとも第３の位置を提供するように配置され、前記インタフェースユニット（３０）は、ユーザが前記第２のディスプレイ（１５０）を利用可能な状態で、前記第１の終端位置と前記第２の終端位置との間に位置決めされ、前記通信装置（１０）の前記凹部（１６０）の面に配置されたキーボード（３００）は、前記インタフェースユニットが前記第１の終端位置から回転することにより露出されるよう構成されていることを特徴とする請求項１乃至８のいずれか１項に記載の通信装置（１０）。
【請求項１０】
前記通信装置は、前記ケーシング（２０）に対する前記インタフェースユニット（３０）の現在の位置を識別し、前記インタフェースユニット（３０）の相対位置に応じて、前記ディスプレイ（７０、１５０）に表示されたデータを配列し、または方向規定し、あるいはその両方を行うプロセッサ（８５）を更に具備することを特徴とする請求項５乃至８のいずれか１項に記載の通信装置（１０）。
【発明の詳細な説明】
【技術分野】
【０００１】
本発明は、変形可能な通信装置であって、両面に１つずつ配置された２つのディスプレイを含む回転自在に配置されたインタフェースユニットにより、通信装置を変形させることで、それぞれ異なる用途に応じた異なる設定を利用できるようにする変形構造体を有する通信装置に関するものである。
【背景技術】
【０００２】
移動通信の発展により、いくつかの種類の移動電話、例えば、スティック型電話、ツイスティドクラムシェル型電話、フリップ電話、ジャックナイフ型電話、コミュニケータ型などが生み出された。多くの場合、移動電話の各々の型は、特定の用途に適合している。例えば、ツイスティドクラムシェル型電話はカメラ付き電話として優れており、コミュニケータはＥメールの書き込みをするのに適している。しかし、通常の電話としての用途、Ｅメールの書き込みとしての用途、ＰＤＡとしての用途、カメラとしての用途などの様々な用途を完全にカバーするように最適化された移動電話を入手することは不可能である。
【０００３】
この点に関する大きな問題は、現在の移動電話の場合、キーパッドとディスプレイとを備えるユーザインタフェースは限定されているか、あるいは種々の用途ごとに要求される異なるユーザインタフェースに適応する能力が限定されていることにある。それらのインタフェースに関わる特定の問題は、ゲーム、カメラ、通話、Ｅメール／ＳＭＳの書き込み、ＰＤＡなどの種々の用途に応じて、ディスプレイ及びキーボードの設定を変更しなければならないことである。通話に最も適するのは、ディスプレイ、並びに０〜９、＊及び＃の各キー、並びにいくつかのファンクションキーであり、それらのキーが小さすぎないようなキーパッドを含む通常の設定である。Ｅメール又はＳＭＳを書き込む場合には、フルクワーティ配列のキーボード及びかなり広いディスプレイが好ましい。ＰＤＡとして使用される場合は、従来のキーを含まない大型タッチスクリーンが最良の解決策である。以下に説明される従来のいくつかの移動電話はこの問題を一部解決しているが、それらはいずれも、移動電話により提供される任意の用途に完全に適応できる変形可能な電話とはなっていない。
【０００４】
国際公開第Ａ１−０３／０１９９１１号には、回転表示画面を有する移動電話が開示されている。当該移動電話は本体及び表示画面を具備し、表示画面は接合装置を介して本体に接続される。接合装置は円の中心として機能する。表示画面の投写の平面は、本体に対して平行に回転できるようになっている。この電話は、表示画面を傾斜させることが可能であるので、幅広い表示画面を下方の位置で使用する構成と、それより高い位置で幅の狭い表示画面を使用する構成の二通りの構成が利用可能である。
【０００５】
英国特許第Ａ−２３８７０６３号には、表示装置を有する上部ユニットと、操作キーを有する下部ユニットと、それらのユニットを接続する２軸ヒンジとを有する折りたたみ可能な移動電話が開示されている。２軸ヒンジの使用により、上部ユニットを第１の回転軸回りに動作させることで開閉すること及び第２の回転軸回りに動作させることで下部ユニットに対して回転させることが可能になる。すなわち、表示装置をユーザに面する向き又はユーザとは反対側を向く向きのいずれかの向きになるように回転させることができる。表示装置には、タッチパネルを含めることができるため、電話は通話用設定、カメラ撮影用設定及びＰＤＡ用設定を提供することができるが、キーボードに制限があるため、書き込み用設定までは提供することができない。
【０００６】
国際公開第Ａ１−０３／０７５４７５号には、表示装置を有する上部ユニットと、操作キーを有する下部ユニットと、それらのユニットを接続する２軸ヒンジとを有する折りたたみ可能な移動電話が開示されている。電話機カバーが回転自在であるため、ユーザは、電話機カバーにあるディスプレイを見ながら、移動電話を使用してゲームをしたり、動画を見たりすることができる。しかし、この移動電話の場合も、書き込み用設定を提供することができない。
【特許文献１】国際公開第Ａ１−０３／０１９９１１号パンフレット
【特許文献２】英国特許第Ａ−２３８７０６３号明細書
【特許文献３】国際公開第Ａ１−０３／０７５４７５号パンフレット
【発明の開示】
【発明が解決しようとする課題】
【０００７】
本発明の目的は、通信装置に含まれる異なる用途の要求に適応可能な通信装置の構造を提供することである。
【課題を解決するための手段】
【０００８】
上記の目的は、通話用設定、書き込み用設定及びＰＤＡ用設定に交互に適応可能な通信装置の変形構造体により実現されうる。通信装置において、インタフェースユニットとケーシングとを接続するための変形構造体は、一端部においてインタフェースユニットに回転自在に装着され、別の端部においてケーシング２０に回転自在に装着された２つの細長い部品により、インタフェースユニットとケーシングとを回転自在に接続する保持部品を含むヒンジ機構を具備する。
【０００９】
ヒンジ機構は、ケーシングの凹部に配置され、細長い部品の端部において、凹部の壁に配置された穴に接続されるのが好ましい。更に、インタフェースユニットはその両側に凹部を具備し、細長い部品は凹部の一端部においてインタフェースユニットに接続される。
【００１０】
ケーシングに配置された凹部は、異なる位置において細長い部品を保持するために、細長い部品のアームにある対応する保持装置と相互に作用する保持装置を更に具備する。
【００１１】
好適な一実施形態においては、保持部品は、インタフェースユニットの貫通孔に配置された軸であり、細長い部品は、軸の両端部において該軸に装着されたアームである。
【００１２】
本発明の別の面によれば、上記の目的は、回転自在に配置されたインタフェースユニットを有する通信装置であって、２つのディスプレイを備えるインタフェースユニットと、変形構造体とを備える通信装置により実現される。
【００１３】
好適な一実施形態においては、インタフェースユニット及び変形構造体は、通信装置の凹部に配置される。更に、インタフェースユニット及び変形構造体は、インタフェースユニットが第１の終端位置と第２の終端位置との間を動作するよう回転自在に配置され、各終端位置において、インタフェースユニット及び変形構造体は凹部の内部に収容される。
【００１４】
更に、インタフェースユニット及び変形構造体は、少なくとも第３の位置を提供するように配置され、ユーザが第２のディスプレイを利用可能な状態で、第１の終端位置と第２の終端位置との間に位置決めされ、通信装置の凹部の面に配置されたキーボードは、インタフェースユニットが第１の終端位置から回転することにより露出される。通信装置は、ケーシングに対するインタフェースユニットの現在の位置を識別することで、インタフェースユニットの相対位置に関して、ディスプレイに表示されたデータを配列し、または方向規定し、あるいはその両方を行うプロセッサを更に具備する。
【発明を実施するための最良の形態】
【００１５】
本明細書において使用される場合、用語「具備する」は、列挙されている特徴、数字、ステップ又は構成要素が含まれることを指定するために使用されるが、他の１つ以上の特徴、数字、ステップ、構成要素又はそれらを集合させた群が含まれること又は追加されることを除外するものではないことは言うまでもない。
【００１６】
以下に例示として、好適な実施形態に関連して、図面を参照しながら本発明を更に詳細に説明する。
【００１７】
異なる設定の間で変形可能な本発明にかかる通信装置として、携帯電話について説明する。電話の好適な一実施形態は、図１に携帯／移動電話１０として示され、図１において電話１０は、通話用設定で配置されている。移動電話１０は、ケーシング２０と、キーパッド５０及びディスプレイ／ＬＣＤ７０を含むキーパッド／インタフェースユニット３０とを具備し、インタフェースユニット３０は、変形構造体４０の上に回転自在に配置されている。移動電話１０は、キーパッド５０、バッテリ６０（図２を参照）、ディスプレイ／ＬＣＤ７０、受話口８０及びマイクロホン９０を含むユーザインタフェースを有する。
【００１８】
ディスプレイ７０及びキーパッド５０は、インタフェースユニット３０の第１の面３５に配置される。キーパッド５０は、いくつかの列を成して配列された１組のキー５１を具備する。キー５１は、英数字キー（「０〜９」、「＃」及び「＊」）を含み、それらのキーを使用して、ユーザは、電話番号、テキストメッセージ（ＳＭＳ）、電話帳記録などを入力することができる。アルファベットモードのとき、各キーは、テキスト編集で使用されるいくつかの文字及び特殊記号と関連付けられる。更に、キーパッド５０は、ユーザインタフェースにおいて選択／ナビゲーションに使用される複数のファンクションキーを具備する。ファンクションキーの機能は、現在のメニューに応じて変化し、現在の機能は、ディスプレイ７０の別個のフィールドに示される。
【００１９】
この通話用設定においては、インタフェースユニット３０、変形構造体４０及びケーシング２０は、一体となって移動電話１０のほぼ平坦な正面側を形成することが図１に明示されている。
【００２０】
図２は、移動電話の不可欠な構成を概略的に示す。マイクロホン９０は、ユーザの音声を記録する。マイクロホンにより形成されたアナログ信号は、Ａ／Ｄ変換器（図示せず）によりＡ／Ｄ変換された後、デジタル信号プロセッサ７５において符号化される。符号化された音声信号は、プロセッサ８５（フィジカルレイヤプロセッサ）へ転送される。プロセッサ８５は、例えば端末ソフトウェアを支援する。プロセッサ８５は、ＲＡＭメモリ８７ａ及びＲＯＭメモリ８７ｂ、ＳＩＭカード８６、ディスプレイ７０、１５０及びテキスト入力装置５０、３００、並びにデータ、電源などの装置の周辺端末に対するインタフェースを更に形成する。
【００２１】
プロセッサ８５は、送受信器回路７２及び内部又は外部アンテナユニット７３を介してネットワークとの通信を制御する。アンテナユニット７３は、複数の異なる通信網を介する通信のために、別個のアンテナ部品を含んでいてもよい。デジタル信号プロセッサ７５は、信号を音声復号化する。該音声復号化された信号は、プロセッサ８５からＤ／Ａ変換器（図示せず）を介してスピーカ８０へ転送される。プロセッサ８５は、ＲＡＭメモリ８７ａ及びフラッシュＲＯＭメモリ８７ｂ、ＳＩＭカード８６、インタフェースユニット３０、ディスプレイ７０、１５０及びテキスト入力装置５０、３００（並びに、データ、電源など）にバス８９を介して接続されている。更に、電話帳９５は、バス８９を介してプロセッサ８５に接続されている。電話帳９５は、ＳＩＭカード８６及び／又はフラッシュＲＯＭメモリ８７ａに格納されていてもよい。
【００２２】
電話１０は、例えば、ＴＤＭＡ（Time Division Multiple Access）、ＦＤＭＡ（Frequency Division Multiple Access）又はＣＤＭＡ（Code Division Multiple Access）などの任意の通信技術に従って、無線通信網を介して通信することができる。また、通信インタフェースは、例えば、Ｂｌｕｅｔｏｏｔｈ（登録商標）周波数などのＷＬＡＮ（Wireless Local Area Network）のような近距離補助周波数を介した通信に適合されてもよい。更に、通信インタフェースは、移動電話１０を直列ケーブルなどの有線によって外部装置に接続するための手段、例えば付属品コネクタを具備していてもよい。
【００２３】
ＩＲ（赤外線）接続などの他の無線通信インタフェース又は有線通信インタフェースも可能である。しかし、電話１０は、ＤＥＣＴなどのコードレスネットワークに合わせて設計されることも可能であろう。
【００２４】
図３には、変形構造体４０の一部であるヒンジ機構１００が示される。ヒンジ機構１００は、軸１３０、２つのアーム１７０、１８０及び２本のピン１９０、２００を備える。軸１３０は、アーム１７０、１８０の間に延出しており、アーム１７０、１８０の第１の端部１７２、１８２において、アーム１７０、１８０の第１の側面１７１、１８１でアーム１７０、１８０にそれぞれ装着されている。細長く、ほぼ楕円形の形状を有するアーム１７０、１８０は、軸１３０の長手方向に対してほぼ垂直に延出している。
【００２５】
アーム１７０、１８０の他方の端部１７３、１８３においては、第２の側面１７４、１８４から、アーム１７０、１８０の長手方向に対して垂直に且つ軸１３０の長手方向とほぼ平行にピン１９０、２００が突出している。ほぼ円形の形状を有するピン１９０、２００は、ケーシング２０の穴（図示せず）の中に挿入され、接続手段により装着される。
【００２６】
図４には、ヒンジ機構１００によりケーシング２０に接続されたインタフェースユニット３０が示される（図５及び図６を併せて参照）。インタフェースユニット３０は、ヒンジ機構１００の軸１３０に回転自在に配置され、軸１３０は、インタフェースユニット３０の一端部１２０に配置された貫通孔（図示せず）を貫通する。インタフェースユニット３０が図４に示されるように軸１３０に対して回転すると、ユーザは、インタフェースユニット３０の第２の面１４０を利用することができる。
【００２７】
インタフェースユニット３０の第２の面１４０には、第２のディスプレイ／タッチスクリーン１５０が配置される。本実施形態においては、第２のディスプレイ／タッチスクリーン１５０は、第１のディスプレイ７０より相当に大きく、インタフェースユニット３０の第２の面１４０のほぼ全体を占めている。ディスプレイ１５０は、接触感知画面又はパネルであるのが好ましい。
【００２８】
インタフェースユニット３０は、インタフェースユニット３０の短いほうの側面１６３、１６４の各々に凹部１６１、１６２を有する。側面１６３、１６４の長さのほぼ２分の１に等しい長さであってアーム１７０、１８０の長さを有する凹部１６１、１６２は、側面１６３、１６４の半分を占め、端部１２０に最も近接する位置に設けられている。凹部１６１、１６２の深さは、アーム１７０、１８０のそれぞれの厚さとほぼ等しい。インタフェースユニットの厚さは、アーム１７０、１８０のそれぞれの幅とほぼ等しい。
【００２９】
前述のように、ヒンジ機構１００は、インタフェースユニット３０とケーシング２０とを接続し、ヒンジ機構１００の貫通軸１３０は、インタフェースユニット３０の貫通孔に配置される。端部１７２、１８２において軸１３０に接続されたアーム１７０、１８０は、インタフェースユニット３０の凹部１６１、１６２に配置される。アーム１７０、１８０の他方の端部１７３、１８３は、ピン１９０、２００を介してケーシング２０の穴に装着される。ケーシング２０の穴は、ケーシング２０の凹部１６０に配置されている。
【００３０】
凹部１６０の長さは、インタフェースユニット３０の長さとほぼ等しく、幅は、移動電話１０の幅と等しく、深さは、インタフェースユニット３０の厚さとほぼ等しい。従って、インタフェースユニット３０及び変形構造体４０の全体を凹部１６０の境界の内側に収めることが可能である（図１及び図６を参照）。凹部１６０の面は、凹部１６０の左右の境界を規定する移動電話１０の２つの側面１６５、１６６と、側面１６５、１６６に対して垂直であり且つ凹部１６０の上下の境界を規定する２つの壁１６７、１６８とにより囲まれる。
【００３１】
凹部１６０の中の壁１６７、１６８の各々には側面穴が配置されており、アーム１７０、１８０がケーシング２０に対して回転できるように、該側面穴は、アーム１７０、１８０のピン１９０、２００を回転自在に受け入れる。穴は、移動電話１０の側面１６５、１６６からほぼ等しい距離に配置される。
【００３２】
更に、壁１６７、１６８には、側面１６５、１６６に近接して小さな突起部１６９が配置される。それらの突起部１６９は、アーム１７０、１８０の端部１７２、１８２に配置された溝又は開口部１７７、１８７に対応し、アーム１７０、１８０を所望の位置に非固定に保持する。
【００３３】
軸１３０に配置されたインタフェースユニット３０とケーシング２０の内側に配置された移動電話の電子回路とを接続するために、アーム１７０の内側には電気ケーブル又はフレックスケーブル（図示せず）が配置される。ケーブルは、アーム１８０を貫通するように配置することも可能である。アーム１７０の端部１７２には、インタフェースユニット３０をアーム１７０に電気接続する電気接続手段が配置される。ピン１９０の開口部を通ってケーシング２０に延びるケーブルによって又はケーシング２０に配置された対応するコネクタに接続するピン１９０が配されたコネクタによって、インタフェースユニット３０をケーシング２０に接続するよう、電気接続手段がアーム１７０の他方の端部１７３に配置される。アーム１８０を介してインタフェースユニット３０をケーシング２０に電気接続するために、アーム１８０に類似の接続機構を設けることができる。インタフェースユニット３０との間でデータを転送するために、アーム１７０、１８０の接続手段は、更にプロセッサ８５に接続されている。
【００３４】
更に、ケーシング２０に対してインタフェースユニット３０を所望の角度に保持するために、保持機能が配置される。保持機能は、摩擦継手であってもよい。すなわち、インタフェースユニット３０は、アーム１７０、１８０の間に押し込まれる。あるいは、保持機能は、確実継手（positive coupling）であってもよい。すなわち、アーム１７０、１８０とインタフェースユニット３０との間の接続面には、縁部が設けられることにより、あるいは他の何らかの方法により互いに確実に係合するように構成されている。
【００３５】
図４に示されるように、キーボード３００が凹部１６０の面に配置され、キーは、移動電話１０の長手方向に対して垂直に配列される。インタフェースユニット３０を軸１３０回りにケーシング２０に対して反時計方向に回転させると、キーボード３００が露出される。ユーザセットがＥメール、文書、ＳＭＳなどを容易に書き込めるように、キーボード３００は、移動電話１０の長手方向に対して垂直に配置されたフルクワーティ配列のキーボードであるのが好ましい。ディスプレイ１５０に表示されるデータの向きも、移動電話１０の長手方向に対して垂直であり、キーボードのキーの配列と平行に規定されるのが好ましい。この設定は、移動電話１０の書き込み用設定である。
【００３６】
図５を参照すると、インタフェースユニット３０の中間位置が示されている。この場合、アーム１７０、１８０は、ケーシングに配置されたピン１９０、２００回りにケーシング２０に対して時計方向に回転されており、インタフェースユニット３０は、軸１３０回りにアーム１７０、１８０に対して更に回転され、その結果、インタフェースユニット３０の第１の面３５及び第２の面１４０は、ケーシング２０に対して平行となっている。図５は、ヒンジ機構１００のアーム１７０、１８０が凹部１６０の中央の位置でケーシング２０に接続され、ヒンジアーム１８０の長さが、移動電話１０又は凹部１６０の幅の２分の１にほぼ等しいことを更に示している。これにより、ヒンジアーム１７０、１８０は、移動電話１０の側面１６５、１６６の外側まで延出することがない。中間位置において、アーム１７０、１８０は、凹部１６０の面に対してほぼ垂直に突出する。
【００３７】
図６は、アーム１７０、１８０が、ピン１９０、２００回りに更に回転され、アームが、当初の位置から１８０°動かされ、再び凹部１６０の面に隣接した様子を示している。インタフェースユニット３０も、アーム１７０、１８０に対して更に回転されるため、インタフェースユニット３０及び変形構造体４０は、凹部１６０の境界の内側に配置されることとなる。インタフェースユニット３０、変形構造体４０及びケーシング２０は、再び一体となってほぼ平坦な前面を形成する。しかし、図１と比較して、インタフェースユニット３０は、軸１３０に関して１８０°回転されており、移動電話１０の前面を見ているユーザには、インタフェースユニット３０の第２の面１４０が見えることとなる。これは、移動電話１０のＰＤＡ用設定である。
【００３８】
図７は、移動電話１０の裏面５００を示している。裏面５０には、内蔵カメラユニット５１０が配置される。カメラユニット５１０は、カメラレンズ部品と、可能であればレンズカバーと、カメラユニット５１０に接続され且つカメラユニットを制御するソフトウェアとを具備する。カメラユニット５１０の向きは、プロセッサ８５により制御され、インタフェースユニット３０の位置に応じて変化する。すなわち、書き込み用設定の場合、カメラユニット５１０の向きは、通話用設定及びＰＤＡ用設定におけるカメラユニット５１０の向きに対して垂直である。領域５２０は、タッチパッドの形態をとる別の入力領域であってもよい。
【００３９】
軸１３０は、インタフェースユニット３０に配置された軸受において支持されるか又は単にインタフェースユニット３０の貫通孔に挿入されるようになっている。あるいは、軸１３０の代わりに、アーム１７０、１８０からインタフェースユニット３０の端部１２０に配置された対応する穴の中に挿入するピンが使用されてもよい。挿入するピンは、アーム１７０、１８０を介してインタフェースユニット３０をケーシング２０に接続する電気接点を備えるか、又は接続ケーブル用の穴を備えていてもよい。
【００４０】
移動電話１０は、３つの設定を有する。第１の設定である通話用設定は、図１に示される。通話用設定においては、インタフェースユニット３０は、第１のディスプレイ７０及びキーパッド５０がユーザに向いた状態で、凹部１６０の内側に配置される。
【００４１】
第２の設定である書き込み用設定は、図４に示される。この場合には、インタフェースユニット３０は、第１の設定から軸１３０回りに反時計方向に約９０〜１８０°回転されている。第２のディスプレイ１５０及びキーボード３００はユーザに向いている。
【００４２】
第３の設定であるＰＤＡ用設定は、図６に示される。この場合には、ケーシング２０に配置されたピン１９０、２００回りにアーム１７０、１８０を時計方向に回転させることにより、インタフェースユニット３０が、凹部１６０の面から持ち上げられる。図５に示される中間位置においては、インタフェースユニット３０が、軸１３０回りに反時計方向に更に回転されているため、インタフェースユニットは、凹部１６０の面に対してほぼ平行に離間した位置にある。最終的に第３の設定に入るためには、アーム１７０、１８０が再び凹部１６０の面に隣接するまで、アーム１７０、１８０を更に時計方向に回転させ、第１の側面３５が凹部１６０の面に隣接して向き、ディスプレイ１５０がユーザのほうに向くまで、インタフェースユニット３０が、反時計方向に回転させられる。
【００４３】
移動電話１０のプロセッサ８５は、現在の設定／ケーシング２０に対するインタフェースユニット３０の相対位置を識別する手段を具備し、インタフェースユニット３０の位置に関連して、ディスプレイ７０、１５０に表示されるデータを配列すること又はデータの向きを規定することが可能である。また、プロセッサは、インタフェースユニット３０の相対位置に関連して、種々のインタフェース、すなわち、キーパッド５０、キーボード３００、ディスプレイ７０、ディスプレイ１５０などを起動させることができる。
【００４４】
本発明は、以上説明された実施例又は実施形態の例を示す図面に限定されず、添付の請求の範囲の範囲内で変形可能である。
【図面の簡単な説明】
【００４５】
【図１】本発明にかかる変形手段を有するスティック型電話設定の移動電話を示す図である。
【図２】携帯電話の不可欠な構成を概略的に示す図である。
【図３】本発明にかかる変形手段の一部を示す斜視図である。
【図４】本発明にかかる変形手段を有するコミュニケータ電話設定の移動電話を示す図である。
【図５】本発明にかかる変形手段を有する変形段階にある移動電話を示す図である。
【図６】本発明にかかる変形手段を有するＰＤＡ電話設定の移動電話を示す図である。
【図７】本発明にかかる図１乃至図４のいずれか１つに示される移動電話の裏面を示す図である。
【図１】
2007534242.tif 000003
【図２】
2007534242.tif 000004
【図３】
2007534242.tif 000005
【図４】
2007534242.tif 000006
【図５】
2007534242.tif 000007
【図６】
2007534242.tif 000008
【図７】
2007534242.tif 000009
【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
通信装置（１０）においてインタフェースユニット（３０）とケーシング（２０）とを接続するための変形構造体（４０）であって、前記インタフェースユニットと前記ケーシングとを回転自在に接続する保持部品（１３０）を含むヒンジ機構（１００）である変形構造体（４０）において、
前記保持部品（１３０）は、一端部（１７２、１８２）において前記インタフェースユニットに回転自在に装着され、別の端部（１７４、１８４）において前記ケーシング（２０）に回転自在に装着された２つの細長い部品（１７０、１８０）を含むことを特徴とする変形構造体（４０）。
【請求項２】
前記ヒンジ機構（１００）は、前記ケーシング（２０）の凹部（１６０）に配置され、前記細長い部品（１７０、１８０）の端部（１７４、１８４）において、前記凹部（１６０）の壁（１６７、１６８）に配置された穴に接続されることを特徴とする請求項１に記載の変形構造体（４０）。
【請求項３】
前記インタフェースユニット（３０）は、前記インタフェースユニット（３０）の２つの側面（１６３、１６４）に凹部（１６１、１６２）を具備し、前記細長い部品（１７０、１８０）は、前記凹部（１６１、１６２）の一端部（１２０）において前記インタフェースユニット（３０）に接続されることを特徴とする請求項２に記載の変形構造体（４０）。
【請求項４】
前記ケーシング（２０）に配置された前記凹部（１６０）は、前記細長い部品（１７０、１８０）を異なる位置に保持するために、前記細長い部品のアームにある対応する保持装置（１７７、１８７）と相互に作用する保持装置（１６９）を更に具備することを特徴とする請求項２又は３に記載の変形構造体（４０）。
【請求項５】
前記保持部品は、前記インタフェースユニット（３０）の貫通孔に配置された軸（１３０）であり、前記細長い部品は、前記軸の両端部にそれぞれ装着されたアーム（１７０、１８０）であることを特徴とする請求項２乃至４のいずれか１項に記載の変形構造体（４０）。
【請求項６】
２つのディスプレイ（７０、１５０）を具備する回転自在に配置されたインタフェースユニット（３０）を有する通信装置（１０）であって、請求項１乃至５のいずれか１項に記載の変形構造体（４０）を具備することを特徴とする通信装置（１０）。
【請求項７】
前記インタフェースユニット（３０）及び前記変形構造体（４０）は、前記通信装置（１０）の凹部（１６０）に配置されることを特徴とする請求項５に記載の通信装置（１０）。
【請求項８】
前記インタフェースユニット（３０）及び前記変形構造体（４０）は、前記インタフェースユニット（３０）が第１の終端位置と第２の終端位置との間を動作するように回転自在に配置され、各終端位置において、前記インタフェースユニット（３０）及び前記変形構造体（４０）は、前記凹部（１６０）の中に配置されることを特徴とする請求項５に記載の通信装置（１０）。
【請求項９】
前記インタフェースユニット（３０）及び前記変形構造体（４０）は、少なくとも第３の位置を提供するように配置され、前記インタフェースユニット（３０）は、ユーザが前記第２のディスプレイ（１５０）を利用可能な状態で、前記第１の終端位置と前記第２の終端位置との間に位置決めされ、前記通信装置（１０）の前記凹部（１６０）の面に配置されたキーボード（３００）は、前記インタフェースユニットが前記第１の終端位置から回転することにより露出されるよう構成されていることを特徴とする請求項１乃至８のいずれか１項に記載の通信装置（１０）。
【請求項１０】
前記通信装置は、前記ケーシング（２０）に対する前記インタフェースユニット（３０）の現在の位置を識別し、前記インタフェースユニット（３０）の相対位置に応じて、前記ディスプレイ（７０、１５０）に表示されたデータを配列し、または方向規定し、あるいはその両方を行うプロセッサ（８５）を更に具備することを特徴とする請求項５乃至８のいずれか１項に記載の通信装置（１０）。
【手続補正２】
【補正対象書類名】明細書
【補正対象項目名】０００６
【補正方法】変更
【補正の内容】
【０００６】
国際公開第Ａ１−０３／０７５４７５号には、表示装置を有する上部ユニットと、操作キーを有する下部ユニットと、それらのユニットを接続する２軸ヒンジとを有する折りたたみ可能な移動電話が開示されている。電話機カバーが回転自在であるため、ユーザは、電話機カバーにあるディスプレイを見ながら、移動電話を使用してゲームをしたり動画を見たりすることができる。しかし、この移動電話の場合も書き込み用設定を提供することができない。欧州特許第Ａ２−１，１７８，６４７号には、第１の筐体部材及び第２の筐体部材を含む折りたたみ可能な携帯電話が開示されている。第１の筐体部材は、表示装置のためのウィンドウを有する上側ケースと、電気部品が装着される上側基板と、上側ヒンジフレームと、それら構成要素が装着される上側カバーとを含む。第２の筐体部材は、キーコンソールユニットを提供するためにキー穴が形成される下側カバーと、電気部品が装着されるＰＣＢを含む下側基板と、下側ヒンジフレームと、それら構成要素が装着される下側ケースとを含む。
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
通信装置（１０）においてインタフェースユニット（３０）とケーシング（２０）とを接続するための変形構造体（４０）であって、前記インタフェースユニットと前記ケーシングとを回転自在に接続する保持部品（１３０）を含むヒンジ機構（１００）である変形構造体（４０）において、
前記保持部品（１３０）は、一端部（１７２、１８２）において前記インタフェースユニットに回転自在に装着され、別の端部（１７４、１８４）において前記ケーシング（２０）に回転自在に装着された２つの細長い部品（１７０、１８０）を含むことを特徴とする変形構造体（４０）。
【請求項２】
前記ヒンジ機構（１００）は、前記ケーシング（２０）の凹部（１６０）に配置され、前記細長い部品（１７０、１８０）の端部（１７４、１８４）において、前記凹部（１６０）の壁（１６７、１６８）に配置された穴に接続されることを特徴とする請求項１に記載の変形構造体（４０）。
【請求項３】
前記インタフェースユニット（３０）は、前記インタフェースユニット（３０）の２つの側面（１６３、１６４）に凹部（１６１、１６２）を具備し、前記細長い部品（１７０、１８０）は、前記凹部（１６１、１６２）の一端部（１２０）において前記インタフェースユニット（３０）に接続されることを特徴とする請求項２に記載の変形構造体（４０）。
【請求項４】
前記ケーシング（２０）に配置された前記凹部（１６０）は、前記細長い部品（１７０、１８０）を異なる位置に保持するために、前記細長い部品のアームにある対応する保持装置（１７７、１８７）と相互に作用する保持装置（１６９）を更に具備することを特徴とする請求項２又は３に記載の変形構造体（４０）。
【請求項５】
前記保持部品は、前記インタフェースユニット（３０）の貫通孔に配置された軸（１３０）であり、前記細長い部品は、前記軸の両端部にそれぞれ装着されたアーム（１７０、１８０）であることを特徴とする請求項２乃至４のいずれか１項に記載の変形構造体（４０）。
【請求項６】
２つのディスプレイ（７０、１５０）を具備する回転自在に配置されたインタフェースユニット（３０）を有する通信装置（１０）であって、請求項１乃至５のいずれか１項に記載の変形構造体（４０）を具備することを特徴とする通信装置（１０）。
【請求項７】
前記インタフェースユニット（３０）及び前記変形構造体（４０）は、前記通信装置（１０）の凹部（１６０）に配置されることを特徴とする請求項６に記載の通信装置（１０）。
【請求項８】
前記インタフェースユニット（３０）及び前記変形構造体（４０）は、前記インタフェースユニット（３０）が第１の終端位置と第２の終端位置との間を動作するように回転自在に配置され、各終端位置において、前記インタフェースユニット（３０）及び前記変形構造体（４０）は、前記凹部（１６０）の中に配置されることを特徴とする請求項６または７に記載の通信装置（１０）。
【請求項９】
前記インタフェースユニット（３０）及び前記変形構造体（４０）は、少なくとも第３の位置を提供するように配置され、前記インタフェースユニット（３０）は、ユーザが前記第２のディスプレイ（１５０）を利用可能な状態で、前記第１の終端位置と前記第２の終端位置との間に位置決めされ、前記通信装置（１０）の前記凹部（１６０）の面に配置されたキーボード（３００）は、前記インタフェースユニットが前記第１の終端位置から回転することにより露出されるよう構成されていることを特徴とする請求項６乃至８のいずれか１項に記載の通信装置（１０）。
【請求項１０】
前記通信装置は、前記ケーシング（２０）に対する前記インタフェースユニット（３０）の現在の位置を識別し、前記インタフェースユニット（３０）の相対位置に応じて、前記ディスプレイ（７０、１５０）に表示されたデータを配列し、または方向規定し、あるいはその両方を行うプロセッサ（８５）を更に具備することを特徴とする請求項６乃至８のいずれか１項に記載の通信装置（１０）。
【国際調査報告】
2007534242.tif 000010
2007534242.tif 000011